(57)【要約】      （修正有）【課題】消火栓装置又は消火器箱において、インサートアンカーを使用しつつ、監査員通路より上方に筐体を設置することができるようにする。【解決手段】消火用ホース２が収納されるホース収納部３を内蔵する筐体４を有し、インサートアンカーＡＣが壁面Ｗに設けられるトンネルＴに設置される消火栓装置１−１であって、前記のインサートアンカーＡＣに固定されて、前記の筐体４が吊り下げられる吊り具５を備えることを特徴とする。【選択図】図１
2019051080.tif 000002
【特許請求の範囲】
【請求項１】
消火用ホースが収納されるホース収納部を内蔵する筐体を有し、インサートアンカーが壁面に設けられるトンネルに設置される消火栓装置であって、
前記インサートアンカーに固定されて、前記筐体が吊り下げられる吊り具を備えることを特徴とする消火栓装置。
【請求項２】
前記吊り具は、前記筐体を吊り下げるワイヤーと、そのワイヤーの巻き取り機構部とを有し、前記ワイヤーの長さが調整可能であることを特徴とする請求項１に記載の消火栓装置。
【請求項３】
前記吊り具が固定されるインサートアンカーよりも下方に位置するインサートアンカーに固定されて、前記吊り具より下方に位置して前記筐体を支持する支持具をさらに備えることを特徴とする請求項１又は２に記載の消火栓装置。
【請求項４】
消火器が格納される筐体を有し、インサートアンカーが壁面に設けられるトンネルに設置される消火器箱であって、
前記インサートアンカーに固定されて、前記筐体が吊り下げられる吊り具を備えることを特徴とする消火器箱。
【請求項５】
前記吊り具は、前記筐体を吊り下げるワイヤーと、そのワイヤーの巻き取り機構部とを有し、前記ワイヤーの長さが調整可能であることを特徴とする請求項４に記載の消火器箱。
【請求項６】
前記吊り具が固定されるインサートアンカーよりも下方に位置するインサートアンカーに固定されて、前記吊り具より下方に位置して前記筐体を支持する支持具を備えることを特徴とする請求項４又は５に記載の消火器箱。
【発明の詳細な説明】
【技術分野】
【０００１】
この発明は、トンネルに設置される消火栓装置及び消火器箱に関する。
【背景技術】
【０００２】
従来、トンネルに設置される消火栓装置は、消火用ホースが収納されるホース収納部を内蔵する筐体が、壁面に形成される箱抜き部分に設置されていた（例えば、特許文献１参照）。
【先行技術文献】
【特許文献】
【０００３】
【特許文献１】特開２０１５−４４０３９号公報
【発明の概要】
【発明が解決しようとする課題】
【０００４】
ところで、最近のトンネルは、シールド工法により施工されることが多い。シールド工法では、掘削と同時に壁面が鋼製のセグメントにより構築されるため、従来のもののように壁面に箱抜き部分を形成することができない。
【０００５】
シールド工法により施工されるトンネルに消火栓装置の筐体を設置する場合、監査員通路上に消火栓装置を設置することが考えられるが、そのように設置すると、監査員通路の幅員を狭くすることになる。監査員通路の幅員を広く確保するために、筐体を監査員通路より上方の位置に設置することが考えられる。
【０００６】
ここで、シールド工法により施工されるトンネルの壁面には、トンネル内に設置される照明や配管等の各種機器の固定用のものとして、インサートアンカーと呼ばれるボルト穴（以下、単に「インサートアンカー」という。）が多数、トンネルの長さ方向（車両の走行方向）に縦横に規則的な配置で設けられている。それらインサートアンカーを使用して消火栓装置の筐体を設置することができれば、施工上、有利である。
【０００７】
なお、トンネルには、初期消火用の消火器が格納される筐体を有する消火器箱が設置されることもある。消火器箱を設置する場合にも、消火栓装置について前記で説明したのと同様の課題がある。
【０００８】
この発明は、上記の事情に鑑み、消火栓装置又は消火器箱において、インサートアンカーを使用しつつ、監査員通路より上方に筐体を設置することができるようにすることを目的とする。
【課題を解決するための手段】
【０００９】
この発明は、消火用ホースが収納されるホース収納部を内蔵する筐体を有し、インサートアンカーが壁面に設けられるトンネルに設置される消火栓装置であって、前記インサートアンカーに固定されて、前記筐体が吊り下げられる吊り具を備えることを特徴とする消火栓装置である。
【００１０】
また、この発明は、前記吊り具は、前記筐体を吊り下げるワイヤーと、そのワイヤーの巻き取り機構部とを有し、前記ワイヤーの長さが調整可能であることを特徴とする消火栓装置である。
【００１１】
また、この発明は、前記吊り具が固定されるインサートアンカーよりも下方に位置するインサートアンカーに固定されて、前記吊り具より下方に位置して前記筐体を支持する支持具を備えることを特徴とする消火栓装置である。
【００１２】
また、この発明は、消火器が格納される筐体を有し、インサートアンカーが壁面に設けられるトンネルに設置される消火器箱であって、前記インサートアンカーに固定されて、前記筐体が吊り下げられる吊り具を備えることを特徴とする消火器箱である。
【００１３】
また、この発明は、前記吊り具は、前記筐体を吊り下げるワイヤーと、そのワイヤーの巻き取り機構部とを有し、前記ワイヤーの長さが調整可能であることを特徴とする消火器箱である。
【００１４】
また、この発明は、前記吊り具が固定されるインサートアンカーよりも下方に位置するインサートアンカーに固定されて、前記吊り具より下方に位置して前記筐体を支持する支持具を備えることを特徴とする消火器箱である。
【発明の効果】
【００１５】
この発明によれば、消火栓装置又は消火器箱において、インサートアンカーに固定される吊り具に筐体を吊り下げて設置することができ、その筐体の位置を監査員通路より上方とすることができる。
【００１６】
したがって、この発明によれば、消火栓装置又は消火器箱において、インサートアンカーを使用しつつ、監査員通路より上方に筐体を設置することができる。
【００１７】
また、この発明においては、ワイヤーの長さを調整可能とすることにより、筐体の設置高さや角度を調整することもできる。
【図面の簡単な説明】
【００１８】
【図１】この発明の実施形態の消火栓装置の一例を示したものであり、その消火栓装置がトンネルの壁面に設置されている状態の正面図である。
【図２】同上の側面図である。
【図３】同上の例における吊り具部分の拡大図であり、（ａ）が正面図、（ｂ）が側面図である。
【図４】同上の例における振れ止め具（支持具の一例）部分の拡大図である。
【図５】同上の消火栓装置の別例を示したものであり、図１に相当するである。
【図６】同上の別例を示したものであり、図２に相当する図である。
【図７】同上の例における吊り具部分の拡大図であり、図３に相当する図である。
【発明を実施するための形態】
【００１９】
この発明の実施形態について、消火栓装置に適用する場合を例として、図面を参照しつつ説明する。なお、この発明は、消火栓装置だけでなく、筐体内に消火器を格納してトンネルに設置される消火器箱にも適用することができる。
【００２０】
［第１の実施形態］
この発明の第１の実施形態に係る消火栓装置１−１について、図１乃至図４を参照しつつ説明する。
【００２１】
まず、消火栓装置１−１の基本構成について、簡単に説明する。
【００２２】
［基本構成］
消火栓装置１−１は、図１及び図２に示したように、消火用ホース２が収納されるホース収納部３等を内蔵する筐体４を備えている。筐体４は、消火用ホース２の引き出し等をするための開口４ａと、その開口４ａを開閉する前扉４ｂとが設けられた前面パネル４ｃを有している。なお、前扉４ｂは、前傾して開くものであり、その裏面には、消火用ホース２の先端に設けられる消火用ノズル２ａや消火栓弁操作用の操作レバー等が設けられている。
【００２３】
そして、消火栓装置１−１は、シールド工法により施工されるトンネルＴに設置することのできるものであり、その筐体４を鋼製のセグメントＳＧにより構築される壁面Ｗ上、監査員通路Ｒ２の上方の位置に設置することのできるものである。
【００２４】
ここで、消火栓装置１−１は、本実施形態の場合、消火栓弁を含むその配管部分を別ユニットとして筐体４から分離し、筐体４を薄型で軽量のものとしており、壁面Ｗ上に設置するための支持部材への負担を軽減することができるものとしている。なお、分離したユニットは、例えば、トンネルＴにおける車道Ｒ１下の床版ＦＳ下や監査員通路Ｒ２下の空間に設けられるものとすることができる。
【００２５】
次に、消火栓装置１−１の筐体４を壁面Ｗ上、監査員通路Ｒ２の上方に設置するための支持部材について、詳細に説明する。
【００２６】
［吊り具］
消火栓装置１−１は、筐体４を壁面Ｗ上、監査員通路Ｒ２の上方の位置に設置するための支持部材として、壁面Ｗに固定されて、筐体４を吊り下げる吊り具５を備えている。
【００２７】
吊り具５は、本実施形態の場合、図１及び図２に示したように、吊り部材としてワイヤー５ａを有するものを使用している。具体的には、図３に詳細を示したように、そのワイヤー５ａと、ワイヤー５ａの先端に設けられ、筐体４側に設けられる引っ掛け部６（後記で説明する。）に引っ掛けられるフック５ｂと、ワイヤー５ａが出し入れ自在に巻回されるリール５ｃ（巻き取り機構部の一例）と、リール５ｃが取り付けられて、壁面Ｗに固定される柱状の固定部５ｄとを有するものを使用している。なお、リール５ｃとしては、ワイヤー５ａの出し入れをロック・アンロックするロック機構を備え、ワイヤー５ａの出し入れの長さを調整可能なものを使用することができる。また、ワイヤー５ａとしては、ワイヤロープやワイヤーチェーン等を使用することもできる。
【００２８】
ここで、シールド工法により施工されるトンネルＴの壁面Ｗには、トンネル内に設置される照明や配管等の各種機器の固定用のものとして、インサートアンカーと呼ばれるボルト穴（以下、単に「インサートアンカー」という。）ＡＣが多数、規則的な配置で縦横に設けられている。消火栓装置１−１の筐体４を壁面Ｗ上に設置する際、それらインサートアンカーＡＣを使用すれば、施工上、有利である。
【００２９】
吊り具５は、そのようなインサートアンカーＡＣに固定部５ｄがボルト止めされて固定されている。
【００３０】
そして、吊り具５は、筐体４を吊り下げつつ、監査員通路Ｒ２の上方の位置に設置することができるように、その設置位置よりも上方にあるインサートアンカーＡＣに固定されている。この吊り具５は、筐体４を安定して吊り下げることができるように筐体４の横方向（トンネルＴの長さ方向）に間隔を置いて複数個使用するのが好ましい。本実施形態の場合、その数を４個としている。なお、本実施形態の場合、さらに、使用する複数の吊り具５における左右両端に位置するものから斜め吊りに筐体４を吊り下げるようにしている。
【００３１】
消火栓装置１−１は、この吊り具５を備えていることにより、インサートアンカーＡＣを使用しつつ、筐体４を壁面Ｗ上、監査員通路Ｒ２より上方に設置することができる。
【００３２】
ここで、トンネルＴに設けられるインサートアンカーＡＣは、消火栓装置１−１の筐体４の適切な取り付け位置を考慮して設けられている訳ではない。そのため、インサートアンカーＡＣを使用して筐体４を設置する場合、その高さ位置や左右位置の調整が必要になることがある。
【００３３】
本実施形態の場合、吊り具５をワイヤー５ａの長さの調整が可能なものとしていることにより、ワイヤー５ａの長さを調整することで、筐体４の高さ位置を調整することができる。さらに、その吊り具５を複数使用していることにより、筐体４の左右位置を調整することができる。具体的には、例えば、筐体４を斜め吊りしているワイヤー５ａの左右いずれか一方の側の長さを短くすることにより、その短くした側に筐体４を寄せることができる。
【００３４】
さらに、本実施形態の場合、図１に示したように（図２においては図示を省略）、吊り具５により筐体４の下方からも左右両側から斜め吊りで支持するものとしている。この下方から支持する吊り具５のワイヤー５ａの長さを調整することによっても、筐体４の位置決めや角度調整をすることができる。
【００３５】
［筐体側引っ掛け部］
筐体４には、吊り具５のワイヤー５ａ先端に設けられるフック５ｂが引っ掛けられる引っ掛け部６として、筐体４の上面４ｄにアイボルトが吊り具５の数及び配置に対応して横方向に間隔を置いて４個設けられている。筐体４は、この引っ掛け部６にフック５ｂが引っ掛けられて、ワイヤー５ａにより監査員通路Ｒ２の上方に吊り下げられている。なお、筐体４に設ける引っ掛け部６としては、アイボルトに限らず、後記で説明する第２の実施形態における引っ掛け部８についても同様であるが、引っ掛け可能な形状を有しているものであれば、別の部材を使用してもよいし、その位置についても、上面４ｄに限らず、背面４ｅや側面４ｆの上部に設けたものを使用してもよい。また、筐体４自体に引っ掛け可能な形状部分（例えば切り欠き部等）を設けるようにしてもよい。
【００３６】
［振れ止め具］
消火栓装置１−１は、本実施形態の場合、図２に示したように、吊り具５が固定されるインサートアンカーＡＣよりも下方に位置するインサートアンカーＡＣに固定され、吊り具５よりも下方に位置して筐体４を支持する振れ止め具９（支持具の一例）をさらに備えている。この振れ止め具９を備えていることにより、筐体４の前後左右への振れを防ぐことができる。
【００３７】
振れ止め具９は、具体的には、図４に詳細を示したように、インサートアンカーＡＣに固定される柱状の固定部９ｂと、その固定部９ｂの先端に設けられて、筐体４の背面４ｅに接続される平板状の接続板９ａとを有するものとしている。
【００３８】
ここで、トンネルの壁面Ｗは、図２に示したように縦方向に曲面をなしている。そのような曲面をなす壁面Ｗ上に筐体４を設置する場合、その縦方向の角度を調整可能とするのが好ましい。本実施形態において、振れ止め具９は、筐体４の振れを防ぐものとして機能するだけでなく、筐体４の縦方向の角度調整部材としても機能する。すなわち、振れ止め具９は、接続板９ａが筐体４の横方向に沿う軸回りに回動可能に固定部９ｂに設けられており、その縦方向の角度が調整可能になっている。それにより、接続板９ａの縦方向の角度を調整することで、その接続板９ａに接続される筐体４の縦方向の角度を調整することができるようになっている。
【００３９】
なお、この振れ止め具９の数については、１個以上とすることができる。また、筐体４における接続位置については、背面４ｅに限らず、側面４ｆとすることもできるし、底面４ｇとすることもできる。また、接続板９ａを筐体４の奥行方向に沿う軸回りにも回動可能として、接続板９ａの横方向の角度も調整可能としてもよく、筐体４の横方向の角度も調整可能としてもよい。すなわち、筐体４を縦方向にも横方向にも角度を調整可能としてもよい。さらに、筐体４における接続位置を背面４ｅとする場合において、振れ止め具９の接続位置を筐体４の横方向に調整可能としてもよい。そのようにすることによっても、筐体４の横方向の位置を調整することができる。また、その場合、振れ止め具９の接続位置を筐体４の縦方向にも調整可能としてもよい。すなわち、筐体４の横方向と縦方向の位置の両方を調整可能としてもよい。
【００４０】
［第２の実施形態］
この発明の第２の実施形態に係る消火栓装置１−２について、図５乃至図７を参照しつつ説明する。
【００４１】
本実施形態の消火栓装置１−２は、筐体４を吊り下げる吊り具における吊り部材をワイヤーに代えて長尺のアーム状のものとしたものである。その吊り具及び筐体４側の引っ掛け部以外の構成は、上記の実施形態と同様である。なお、振れ止め具９の図示を省略しているが、本実施形態においても振れ止め具９を設けてもよいことはもちろんである。
【００４２】
すなわち、消火栓装置１−２において、筐体４を吊り下げる吊り具７は、図５及び図６に示したように、吊り部材として平板状で長尺のアーム部７ａを有している。具体的には、吊り具７は、図７に詳細を示したように、そのアーム部７ａと、アーム部７ａの先端に設けられ、筐体４の上面４ｄに設けられる引っ掛け部８に引っ掛けられるフック部７ｂと、アーム部７ａの基端が接続されて、インサートアンカーＡＣに固定される固定部７ｃとを有している。
【００４３】
この吊り具７も、筐体４を吊り下げつつ、監査員通路Ｒ２の上方の位置に設置することができるように、その設置位置よりも上方にあるインサートアンカーＡＣに固定されている。また、筐体４を安定して吊り下げることができるように筐体４の横方向（トンネルＴの長さ方向）に間隔を置いて複数個（本実施形態の場合は２個）使用している。
【００４４】
したがって、消火栓装置１−２においても、吊り具７を備えていることにより、インサートアンカーＡＣを使用しつつ、筐体４を壁面Ｗ上、監査員通路Ｒ２より上方に設置することができる。
【００４５】
なお、この吊り具７において、アーム部７ａは、固定部７ｃに対して筐体４の横方向に沿う軸回りに回動可能に連結されて、縦方向の角度が調整可能に設けられている。フック部７ｂも、アーム部７ａに対して筐体４の横方向に沿う軸回りに回動可能に連結されて、縦方向の角度が調整可能に設けられている。これにより、アーム部７ａの縦方向の角度を調整しつつ、フック部７ｂの角度を調整することで、筐体４の前後方向の位置と縦方向の角度の調整をすることができる。さらに、固定部７ｃはその固定軸回りにインサートアンカーＡＣに対して回動可能であり、図示しないロック手段により所望の角度位置に調整可能に設けられており、固定部７ｃに連結されるアーム部７ａの横方向の角度を調整することで、筐体４の横方向の角度も調整することができる。
【００４６】
以上、この発明の実施形態ついて説明したが、この発明は上記の実施形態に限られるものではない。
【００４７】
例えば、吊り具５又は吊り具７の壁面Ｗへの固定については、図示は省略するが、インサートアンカーＡＣを使用して長尺のレール状の取付部材をトンネルＴの長さ方向（筐体４の横方向）に沿って壁面Ｗに固定し、その取付部材を介して壁面Ｗに設けるようにしてもよく、吊り具５又は吊り具７の取り付け位置をレール状の取付部材に沿って調整することにより、筐体４の横方向の位置をすることができるようにしてもよい。
【００４８】
また、吊り具７におけるアーム７ａの形状については、細長い平板状に限らず、例えば、アングル材状、チャンネル材状等のものとしてもよい。
【００４９】
さらに、筐体４は、消火栓弁を内蔵するものとしてもよいし、消火器のみを収納する消火器箱としてもよい。また、筐体４における前扉４ｂの開閉方式については、前傾して開く方式に限らず、例えば、下降して開く方式にしてもよい。
【符号の説明】
【００５０】
１−１，１−２：消火栓装置  ２：消火用ホース  ２ａ：消火用ノズル
３：ホース収納部  ４：筐体  ４ａ：開口  ４ｂ：前扉  ４ｃ：前面パネル
４ｄ：上面  ４ｅ：背面  ４ｆ：側面  ４ｇ：底面  ５：吊り具
５ａ：ワイヤー  ５ｂ：フック  ５ｃ：リール  ５ｄ：固定部
６：引っ掛け部  ７：吊り具  ７ａ：アーム部  ７ｂ：フック部
７ｃ：固定部  ８：引っ掛け部  ９：振れ止め具  ９ａ：接続板
９ｂ：固定部
Ｔ：トンネル  Ｗ：壁面  ＳＧ：セグメント
ＡＣ：インサートアンカー  Ｒ１：車道  Ｒ２：監査路  床版：ＦＳ
【図１】
2019051080.tif 000003
【図２】
2019051080.tif 000004
【図３】
2019051080.tif 000005
【図４】
2019051080.tif 000006
【図５】
2019051080.tif 000007
【図６】
2019051080.tif 000008
【図７】
2019051080.tif 000009